(57)【特許請求の範囲】
【請求項１】
第１表示部を有する第１ユニットと、
第２表示部を有する第２ユニットと、
前記第１ユニットが前記第２表示部を覆う第１形態と、前記第１形態から前記第１ユニットが前記第２表示部に平行に移動して前記第２表示部の少なくとも一部が外部に露出する第２形態とで切り替え可能な切替部と、を備え、
前記切替部は、前記第１ユニットと前記第２ユニットを互いにスライドさせる機構部を含み、
前記第１ユニットは、前記第１表示部を介して前記第１ユニットの向こう側が視認できるように構成されているとともに、前記第１表示部の表示面を囲む枠部が透明であり、
前記機構部は、前記第１ユニットの前記透明な枠部に設けられるスライド部と、前記第２ユニットに設けられるガイド孔とを含み、前記スライド部が前記ガイド孔に沿ってスライドする構成とされ、
前記透明な枠部に、前記スライド部および前記カイド孔の上に重なる不透明な被覆部が設けられる、
ことを特徴とする携帯端末装置。
【請求項２】
請求項１に記載の携帯端末装置において、
前記第１ユニットは、前記第１表示部への入力を検出する第１入力部を有し、
前記第２ユニットは、前記第２表示部への入力を検出する第２入力部を有する、
ことを特徴とする携帯端末装置。
【請求項３】
請求項１または２に記載の携帯端末装置において、
前記第１表示部は、透明な液晶表示器を含む、
ことを特徴とする携帯端末装置。
【請求項４】
請求項１ないし３のいずれか一項に記載の携帯端末装置において、
前記第２形態において、前記第１表示部と前記第２表示部が前記各表示部の表示面に平行な方向に並ぶ、
ことを特徴とする携帯端末装置。
【請求項５】
請求項１ないし４のいずれか一項に記載の携帯端末装置において、
前記第１表示部に前記第２ユニットから電力を供給する配線をさらに備え、
前記スライド部には、前記配線を通すための孔部が設けられ、
前記配線は、前記孔部および前記ガイド孔を通される、
ことを特徴とする携帯端末装置。
【請求項６】
請求項１ないし５のいずれか一項に記載の携帯端末装置において、
前記第１形態において前記第１ユニットを覆う透明なカバーを備える、
ことを特徴とする携帯端末装置。
【発明の詳細な説明】
【技術分野】
【０００１】
本発明は、携帯電話機やＰＤＡ（Personal Digital Assistant）等の携帯端末装置に関するものである。
【背景技術】
【０００２】
従来、２つのキャビネットを有し、各キャビネットに表示面が設けられた携帯端末装置が知られている（たとえば、特許文献１）。この種の携帯端末装置では、たとえば、２つのキャビネットが重ね合わされると、１つの表示面が露出し、２つのキャビネットが並べられると、２つの表示面が露出する。また、この種の携帯端末装置では、表示面に対して入力を可能とすることもできる。
【０００３】
２つのキャビネットが重ね合わせられたときには、装置がコンパクトになり、携帯性に優れる。一方、２つのキャビネットが並べられたときには、２つの表示面によって表示面積および入力面積が拡張されるので、視聴性および操作性が高まる。
【先行技術文献】
【特許文献】
【０００４】
【特許文献１】特開２００２−０４４２０２号公報
【発明の概要】
【発明が解決しようとする課題】
【０００５】
しかし、上記従来技術では、２つの表示面はそれぞれ機能が同じである。このため、２つの表示面を並べた状態では、表示面積および入力面積を拡張できるに留まり、この拡張に伴う機能しか携帯端末装置に付与することができない。
【０００６】
また、上記従来技術によれば、２つのキャビネットが重ねられた状態では、上の表示面しか表示および入力できず、下の表示面を利用できない。
【０００７】
本発明は、かかる課題に鑑みて為されたものであり、利便性や面白みを高めることができる携帯端末装置を提供することを目的とする。
【課題を解決するための手段】
【０００８】
本発明の携帯端末装置は、第１表示部を有する第１ユニットと、第２表示部を有する第２ユニットと、前記第１ユニットが前記第２表示部を覆う第１形態と、前記第１形態から前記第１ユニットが前記第２表示部に平行に移動して前記第２表示部の少なくとも一部が外部に露出する第２形態とで切り替え可能な切替部と、を備える。ここで、前記切替部は、前記第１ユニットと前記第２ユニットを互いにスライドさせる機構部を含む。前記第１ユニットは、前記第１表示部を介して前記第１ユニットの向こう側が視認できるように構成されているとともに、前記第１表示部の表示面を囲む枠部が透明である。前記機構部は、前記第１ユニットの前記透明な枠部に設けられるスライド部と、前記第２ユニットに設けられるガイド孔とを含み、前記スライド部が前記ガイド孔に沿ってスライドする構成とされ、前記透明な枠部に、前記スライド部および前記カイド孔の上に重なる不透明な被覆部が設けられる。
【０００９】
本態様に係る携帯端末装置によれば、第１形態において、透明な第１表示部を通して第２表示部の表示面が視認可能であるため、第１表示面の画像と第２表示面の画像とを重ね合わせて一つの画面表示を行うことができる。
【００１０】
また、第２形態において、第１表示面および第２表示面が並べられ、表示範囲および入力範囲が拡張する。また、透明な第１表示部を透かして向こう側の風景が見えるため、たとえば、風景を利用した表示を行うことができる。
さらに、第２形態において、第１表示部と第２表示部によって一つの大きな表示面を構成した場合に、その表示面が枠部によって区切られることがなく、大きな表示面に良好に画像を表示することができる。
【００１１】
本発明の携帯端末装置において、前記第１ユニットは、前記第１表示部への入力を検出する第１入力部を有するよう構成され得る。また、前記第２ユニットは、前記第２表示部への入力を検出する第２入力部を有するよう構成され得る。
【００１２】
このような構成とすれば、透明な第１表示部を透かして向こう側に見える風景を利用して、第１表示部や第２表示部に対する種々の入力を行うことにより、種々の機能を携帯端末装置に付与することが可能となる。
【００１３】
本発明の携帯端末装置は、前記第２形態において、前記第１表示部と前記第２表示部が前記各表示部の表示面に平行な方向に並ぶような構成とされ得る。
【００１６】
本発明の携帯端末装置において、前記第１表示部に前記第２ユニットから電力を供給する配線が、さらに備えられ得る。この場合、前記スライド部には、前記配線を通すための孔部が設けられ、前記配線が、前記孔部および前記ガイド孔を通される。
【００１７】
このような構成とすれば、第１表示部からの配線を、スライド部の孔部およびガイド孔を通して、第２ユニット内に導くことができるので、第１ユニットにおいて配線が目立つことがなく、見栄えが良くなる。
【００１８】
本発明の携帯端末装置は、前記第１形態において前記第１ユニットを覆う透明なカバーを備えるような構成とされ得る。
【００１９】
このような構成とすれば、第１形態において、第１ユニットをカバーによって保護することができる。
【発明の効果】
【００２０】
以上のとおり、本発明によれば、利便性や面白みを高めることができる携帯端末装置を提供することができる。
【００２１】
本発明の効果ないし意義は、以下に示す実施の形態の説明により更に明らかとなろう。ただし、以下に示す実施の形態は、あくまでも、本発明を実施化する際の一つの例示であって、本発明は、以下の実施の形態に記載されたものに何ら制限されるものではない。
【図面の簡単な説明】
【００２２】
【図１】実施の形態に係る携帯端末装置を示す分解斜視図である。
【図２】実施の形態に係る携帯端末装置の全体を示す斜視図である。
【図３】実施の形態に係る携帯端末装置を示す断面図である。
【図４】実施の形態に係る第２蓋部の下にスライド部を配置した状態を示す斜視図である。
【図５】実施の形態に係る受部を第２蓋部に取り付ける状態を示す斜視図である。
【図６】実施の形態に係る第２蓋部の上に第１底部を載せる状態を示す斜視図である。
【図７】実施の形態に係る第１底部の中に第１表示部を収容する状態を示す斜視図である。
【図８】実施の形態に係る第１底部を第１蓋部で覆う状態を示す斜視図である。
【図９】実施の形態に係る第１蓋部の蓋貫通孔に被覆部を嵌めた状態を示す斜視図である。
【図１０】実施の形態に係るスライド部および被覆部をビスで固定する状態を示す斜視図である。
【図１１】実施の形態に係る第２底部を第２蓋部に取り付ける状態を示す斜視図である。
【図１２】実施の形態に係る携帯端末装置の回路を示すブロック図である。
【図１３】実施の形態に係る携帯端末装置の状態を示す斜視図である。
【図１４】実施の形態に係る配線の状態を示す斜視図である。
【図１５】実施の形態に係る携帯端末装置の機能を説明するための図である。
【図１６】実施の形態に係る携帯端末装置の機能を説明するための図である。
【図１７】変更例１に係る第１形態の携帯端末装置を示す図である。
【図１８】変更例１に係る第２形態の携帯端末装置を示す図である。
【図１９】変更例１に係る携帯端末装置を示す断面図である。
【図２０】他の変更例に係る携帯端末装置を示す正面図である。
【発明を実施するための形態】
【００２３】
以下、図を参照して、本実施の形態に係る携帯端末装置について説明する。
【００２４】
＜携帯端末装置の構成＞
図１は、携帯端末装置１００の全体構成を示す分解斜視図である。図２（ａ）は、携帯端末装置１００の第１ユニット１０を第２ユニット２０に重ねた状態を示す斜視図である。図２（ｂ）は、携帯端末装置１００の第１ユニット１０と第２ユニット２０を並べた状態を示す斜視図である。図３（ａ）は、図２（ａ）のＡ−Ａ’線における断面図である。図３（ｂ）は、図２（ａ）のＢ−Ｂ’線における断面図である。なお、本実施形態では、第１ユニット１０の位置が第２ユニット２０に対して上側になり、携帯端末装置１００が水平に置かれた状態で、第１ユニット１０および第２ユニット２０が重なる方向を縦方向と称し、縦方向に垂直な方向を横方向と称す。
【００２５】
携帯端末装置１００は、図２に示すように、第１ユニット１０および第２ユニット２０を備え、第１ユニット１０は第２ユニット２０に対してスライド可能に重ねられる。
【００２６】
第１ユニット１０は、図１および図３に示すように、第１底部１１と、第１底部１１に設けられるスライド部１２と、第１底部１１に収容される第１表示部１３および第１入力部１４と、第１表示部１３に接続される配線１５と、第１表示部１３と覆う第１蓋部１６と、第１蓋部１６に装着される被覆部１７とを備える。
【００２７】
第１底部１１は、ポリカーボネートやアクリルなどの透明樹脂により射出成型で形成される。第１底部１１は、長方形状であり、中央が長方形状にわずかに窪む。第１底部１１には、２つの底貫通孔１１ａが互いに間隔を隔てて設けられる。各底貫通孔１１ａは第1底部１１を貫通する。底貫通孔１１ａは、細長く、第１底部１１の短辺に対して間隔を隔てて平行に形成される。各底貫通孔１１ａの上には、突条部１１ｂが設けられる。突条部１１ｂは、底貫通孔１１ａの全長に亘って延び、窪みの縁から底貫通孔１１ａを塞ぐ向きに突出する。
【００２８】
スライド部１２は、軸部１２ａおよび係止部１２ｂを有する。軸部１２ａは、細長く、上部および下部を含む。軸部１２ａの上部の幅は下部の幅より狭く、上部と下部との間に段差が形成される。軸部１２ａには、２つの挿入孔１２ｃが間隔を隔てて設けられる。挿入孔１２ｃは、軸部１２ａを貫通する。
【００２９】
係止部１２ｂは、軸部１２ａの端に設けられ、上部、中部および下部を含む。係止部１２ｂの上部の幅は、軸部１２ａの上部の幅と等しく、係止部１２ｂの上部は軸部１２ａの上部に連続する。係止部１２ｂの中部の幅は、軸部１２ａの下部の幅と等しく、係止部１２ｂの中部は軸部１２ａの下部に連続する。ただし、係止部１２ｂの中部の高さは、軸部１２ａの下部の高さより大きく、係止部１２ｂの中部は軸部１２ａの下部より下側に突出する。係止部１２ｂの下部の幅は、係止部１２ｂの中部の幅より大きく、下部と中部との間に段差が形成される。また、係止部１２ｂには、貫通孔１２ｄが形成される。貫通孔１２ｄは、係止部１２ｂの上部、中部および下部を貫通し、下部の側面に開口する。
【００３０】
第１表示部１３は、長方形の平板形状であって、たとえば、透明な液晶表示器により構成される。液晶表示器は、表示モードがノーマリーホワイトである液晶パネルのみを備え、液晶パネルの背後に照明部（バックライト）が配されていない。なお、液晶パネルは、２枚の透明板（図示せず）の間に透明液晶（図示せず）および透明電極（図示せず）が挟まれて構成される。
【００３１】
なお、透明な液晶表示器として、液晶パネルの背後に、透明な導光板と光源部とからなる照明部が配される構成のものが用いられても良い。
【００３２】
第１表示部１３の２つの短辺の内の１つの短辺に電極１３ａが設けられる。電極１３ａは、透明な液晶表示器に接続される。
【００３３】
配線１５は、第１表示部１３の電極１３ａの端に接続される。配線１５には、フレキシブル配線（フレキシブル基板）が用いられる。
【００３４】
第１入力部１４は、位置センサ１４ａおよびイメージセンサ１４ｂなどを含み、これらに配線（図示せず）が接続される。位置センサ１４ａには、タッチパネルなどが用いられる。タッチパネルは、透明な長方形状のシートであり、マトリクス状に２つの透明電極（図示せず）が組み込まれている。タッチパネルは、これら透明電極間の静電容量の変化を検出することによって、ユーザの指などが接近した（あるいは、触れた）位置を検出し、その位置に応じた信号を出力する。
【００３５】
第１蓋部１６は、ポリカーボネートやアクリルなどの透明樹脂により射出成型で形成される。第１蓋部１６は、長方形状の天面および４つの側面を有し、下側に開口する。第１蓋部１６の天面には、２つの蓋貫通孔１６ａが設けられ、蓋貫通孔１６ａは天面を貫通する。蓋貫通孔１６ａは、細長く、第１蓋部１６の短辺に対して間隔を隔てて平行に形成される。蓋貫通孔１６ａの上部の幅は下部の幅より広く、上部と下部との間に段差が設けられる。
【００３６】
被覆部１７は、細長く、不透明な樹脂により射出成型で形成される。被覆部１７の上部の幅は被覆部１７の下部の幅より広く、上部と下部との間に段差が形成される。被覆部１７には、２つのネジ孔１７ａが間隔を隔てて設けられる。ネジ孔１７ａは被覆部１７の上部を貫通せず、被覆部１７の上面は平らに形成される。
【００３７】
第２ユニット２０は、第２底部２１と、第２底部２１に収容される電池２２、基板２３
、第２入力部２４、第２表示部２５および受部２６と、第２表示部２５を覆う第２蓋部２７とを備える。
【００３８】
第２底部２１は、長方形状の底面および底面を囲む４つの側面を有し、上側に開口する。２つの短側面の内側には、それぞれ、支持部２１ａが設けられる。支持部２１ａは、直方体状であって、短側面に対して間隔を隔てて平行に延びる。
【００３９】
電池２２は厚みの薄い直方体状であり、基板２３は平板形状である。電池２２および基板２３は、互いにコネクタ２２ａで接続される。基板２３の表面にはＣＰＵ２３ｂやメモリ２３ｃなどの電子部品（図示せず）やコネクタ２３ａなどが配され、電子部品などの間が配線（図示せず）で接続される。
【００４０】
第２表示部２５は、たとえば、透明でない液晶表示器で構成され、液晶パネル２５ａと、液晶パネル２５ａを照明するための導光板２５ｂおよび発光部２５ｃとを含む。液晶パネル２５ａは、２枚の透明板（図示せず）の間に透明液晶（図示せず）および透明電極（図示せず）が挟まれて構成される。液晶パネル２５ａの背面側に、導光板２５ｂおよび発光部２５ｃが配置される。
【００４１】
第２入力部２４は、位置センサ２４ａを含む。位置センサ２４ａには、たとえば、タッチパネルが用いられる。タッチパネルは、透明な長方形状のシートである。タッチパネルには、マトリクス状に２つの透明電極（図示せず）が組み込まれ、透明電極に配線（図示せず）が接続される。
【００４２】
受部２６は、底面板２６ａ、第１側面板２６ｂおよび第２側面板２６ｃを含む。底面板２６ａは、細長い長方形状である。第１側面板２６ｂは、矩形状であって、底面板２６ａの短辺から垂直に立ち上がる。第２側面板２６ｃは、底面板２６ａの長辺から垂直に立ち上がるとともに、その先端部が底面板２６ａ対して平行となるよう曲げられている。
【００４３】
第２蓋部２７は、長方形状の天面および天面を囲む４つの側面を有し、下側に開口する。天面には、天面を貫通する２つのガイド孔２７ａが互いに間隔を隔てて設けられる。ガイド孔２７ａは、細長く、天面の短辺に対して間隔を隔てて平行に延びる。第２蓋部２７の中央には、表示窓２７ｂが形成されており、表示窓２７ｂを通じて、第２表示部２５の第２表示面２５ｄが外部に臨む。
【００４４】
＜携帯端末装置の組み立て＞
図４は、第２蓋部２７の下に２つのスライド部１２を配置した状態を示す斜視図である。図４に示すように、第２蓋部２７の下側からスライド部１２がガイド孔２７ａに嵌められる。スライド部１２の長さはガイド孔２７ａの長さに等しく、スライド部１２はガイド孔２７ａの全長に亘る。図３に示すように、スライド部１２の軸部１２ａの幅および係止部１２ｂの上部の幅がガイド孔２７ａの幅より少し小さく設定されるため、スライド部１２の軸部１２ａおよび係止部１２ｂの上部は、ガイド孔２７ａを通り抜け、第２蓋部２７の表面から上方に突出する。係止部１２ｂの下部の幅はガイド孔２７ａの幅より大きく設定されるため、係止部１２ｂの下部は、ガイド孔２７ａを囲む第２蓋部２７の縁に当たり、第２蓋部２７の中に配置される。
【００４５】
図５（ａ）は、第２蓋部２７の下に２つの受部２６を配置した状態を示す斜視図である。図５（ｂ）は、受部２６が第２蓋部２７に取り付けられた状態を示す斜視図である。図５に示すように、第２蓋部２７の下側からガイド孔２７ａの下に受部２６が配置される。受部２６の第１側面板２６ｂがスライド部１２の係止部１２ｂ側に向けられ、第１側面２６ｂ板および底面板２６ａが係止部１２ｂを囲む。第２側面板２６ｂが第２蓋部２７の短
辺側に向けられ、図３に示すように、第２側面板２６ｃの先端部が第２蓋部２７の天面および側面に当たる。これにより、第２側面板２６ｃが係止部１２ｂの側面に平行になる。また、受部２６の底面板２６ａは、ガイド孔２７ａの下で、係止部１２ｂの下面に平行になる。
【００４６】
図６は、第２蓋部２７の上に第１底部１１を配置した状態を示す斜視図である。図６に示すように、スライド部１２が第２蓋部２７の上方へ突出するため、スライド部１２が第１底部１１の底貫通孔１１ａに嵌るように、第２蓋部２７の上に第１底部１１が載せられる。図３に示すように、軸部１２ａの幅と係止部１２ｂの上部および中部の幅とが、底貫通孔１１ａの幅より少し小さく設定され、軸部１２ａと係止部１２ｂの上部および中部とが底貫通孔１１ａに嵌る。軸部１２ａの下部の高さが底貫通孔１１ａの高さに等しく、軸部１２ａの段差が突条部１１ｂに当たり、軸部１２ａの下部が蓋貫通孔１６ａの中に納まる。軸部１２ａの上部表面は、第１底部１１の表面と面一になる。これにより、軸部１２ａが第２蓋部２７の天面より上に配置される。
【００４７】
図７（ａ）は、第１底部１１の上に第１表示部１３を配置した状態を示す斜視図である。図７（ｂ）は、第１底部１１の窪みに第１表示部１３を収容した状態を示す斜視図である。図７（ｃ）は、配線１５を係止部１２ｂの貫通孔１２ｄに通した状態を第１底部１１の上から見た斜視図である。図７（ｄ）は、配線１５を係止部１２ｂの貫通孔１２ｄに通した状態を第２蓋部２７の下から見た斜視図である。
【００４８】
図７に示すように、第１表示面１３ｂが上側になり、配線１５が係止部１２ｂの貫通孔１２ｄを通るように、第１底部１１の窪みに第１表示部１３を据える。第１底部１１の窪みのサイズが第１表示部１３のサイズに一致することで、第１底部１１の窪みに第１表示部１３を嵌めると、第１表示部１３が位置決めされる。第１底部１１の窪みは２つの底貫通孔１１ａの間に形成されているため、第１表示部１３は２つの底貫通孔１１ａの間に配置される。図３に示すように、配線１５は、係止部１２ｂの貫通孔１２ｄおよびガイド孔２７ａを通り、係止部１２ｂの側面から横方向へ出て、第２蓋部２７の中へ抜ける。
【００４９】
また、第１表示部１３の上に第１入力部１４が重ねられる。第１入力部１４のサイズは第１表示部１３のサイズと同じであり、第１入力部１４は第１表示部１３の全面を覆う。第１入力部１４の配線は、第１表示部１３の配線１５と同様に、係止部１２ｂの貫通孔１２ｄおよびガイド孔２７ａを通り、第２蓋部２７の中に導かれる。
【００５０】
図８（ａ）は、第１底部１１を第２蓋部２７の横に並べた状態を示す斜視図である。図８（ｂ）は、第１底部１１の上に第１蓋部１６を配置した状態を示す斜視図である。図８に示すように、第１底部１１は、同図（ａ）の矢印の方向に第２蓋部２７に対してスライドされ、第２蓋部２７の横に並べられる。そして、第１蓋部１６は、第１入力部１４を覆うように、第１底部１１の上に載せられる。図３に示すように、第１底部１１のサイズは第１蓋部１６の側面で囲むサイズより少し小さく、第１底部１１は第１蓋部１６の中に納まる。第１表示面１３ｂが第１入力部１４を介して第１蓋部１６の天面に対向する。また、第１蓋部１６の蓋貫通孔１６ａは、スライド部１２およびガイド孔２７ａの上に配置される。
【００５１】
図９（ａ）は、第１蓋部１６の蓋貫通孔１６ａの上に被覆部１７を配置した状態を示す斜視図である。図９（ｂ）は、第１蓋部１６の蓋貫通孔１６ａに被覆部１７を嵌めた状態を示す斜視図である。図９に示すように、開口する蓋貫通孔１６ａに被覆部１７が嵌められる。被覆部１７のサイズは蓋貫通孔１６ａのサイズと等しいことから、被覆部１７は蓋貫通孔１６ａを塞ぐ。図３に示すように、ガイド孔２７ａおよびスライド部１２の上に被覆部１７が重なる。被覆部１７の幅は、ガイド孔２７ａおよびスライド部１２の幅に等し
いまたはそれより大きい。このことから、被覆部１７はガイド孔２７ａおよびスライド部１２を覆い、ガイド孔２７ａおよびスライド部１２が不透明な被覆部１７の下に隠れる。また、２つの被覆部１７の間では、第１底部１１、第１表示部１３、第１入力部１４および第１蓋部１６が重なり、これらは透明である。２つの被覆部１７の外側では、第１底部１１および第１蓋部１６が重なり、これらも透明である。このため、第１ユニット１０において、第１表示面１３ｂの範囲は透明になり、第１表示面１３ｂの周囲は被覆部１７を除き透明になる。
【００５２】
図１０（ａ）は、スライド部１２を第１底部１１の下から見た斜視図である。図１０（ｂ）は、スライド部１２にビス１８を嵌めた状態を第１底部１１の下から見た斜視図である。図１０に示すように、ビス１８をスライド部１２の挿入孔１２ｃに差し込む。図３に示すように、被覆部１７のネジ孔１７ａの位置は、スライド部１２の挿入孔１２ｃの位置と一致し、ネジ孔１７ａと挿入孔１２ｃとは連続する。このため、ビス１８が、挿入孔１２ｃを通過し、ネジ孔１７ａに嵌る。また、被覆部１７の段差が蓋貫通孔１６ａの段差に当たり、被覆部１７が位置決めされる。これにより、スライド部１２および被覆部１７が縦方向に接続され、これらを介して第１蓋部１６および第１底部１１が固定されて、第１ユニット１０が組み立てられる。また、係止部１２ｂが、ガイド孔２７ａを囲む第１蓋部１６の縁に係止され、第１ユニット１０は第２蓋部２７に連結される。
【００５３】
図１１（ａ）は、第２底部２１の上に第２蓋部２７を配置した状態を示す斜視図である。図１１（ｂ）は、配線１５を基板２３のコネクタ２３ａに接続した状態を示す斜視図である。なお、図１１（ｂ）では、配線１５が見易いように、第１蓋部１６および第２蓋部２７が破線で表わされている。
【００５４】
図１１および図３に示すように、第２底部２１の中に電池２２が配置され、電池２２の上に基板２３が重ねられる。電池２２の横に設けられたコネクタ２２ａは、基板２３と接続される。基板２３のコネクタ２３ａが、上側を向き、係止部１２ｂの貫通孔１２ｄの傍らに位置するように、基板２３が配置される。この基板２３の上に導光板２５ｂ、第２表示部２５および第２入力部２４が順に積み重ねられ、導光板２５ｂの横に発光部２５ｃが配される。発光部２５ｃ、液晶パネル２５ａおよび第２入力部２４にはそれぞれ配線（図示せず）が配され、これらの配線は基板２３に接続される。第２入力部２４のサイズが第２表示部２５のサイズと同じであるため、第２入力部２４が第２表示部２５の全面を覆う。そして、第１入力部１４および第１表示部１３の配線１５が基板２３のコネクタ２３ａに接続されてから、第２蓋部２７と第２底部２１とが結合されて、第２ユニット２０が組み立てられる。支持部２１ａが受部２６の底面に当たり、受部２６が支持部２１ａに支えられる。また、第２表示面２５ｄが第２蓋部２７の天面に対向し、第２表示面２５ｄと第２蓋部２７の天面との間に第２入力部２４が配置される。
【００５５】
＜携帯端末装置の回路＞
図１２は、携帯端末装置１００の回路のブロック図を示す。
【００５６】
ＣＰＵ２３ｂや第１表示部１３、第２表示部２５には、電池２２から電力が供給される。第１表示部１３および第２表示部２５は、配線により基板２３に接続され、基板２３のＣＰＵ２３ｂとの間で信号を送受信する。即ち、各表示部１３、２５は、基板２３のＣＰＵ２３ｂから画像信号を受ける。これら画像信号に基づいて各表示部１３、２５の透明電極に電圧が加えられることにより、液晶の配向が変化し、液晶を通過する光が変調される。これにより、各表示部１３、２５では、アイコンやキーボードなどの図、写真、文字、絵およびウインドウなどの画像が各表示面１３ｂ、２５ｄに表示される。第１表示部１３は透明な液晶表示器で構成され、第１表示部１３を挟む第１蓋部１６、第１入力部１４および第１底部１１が透明であるため、第１表示部１３において光が透過する範囲は、透明
または半透明になっており、これらを通して向こう側が見える。
【００５７】
また、第２表示部２５の発光部２５ｃには、ＣＰＵ２３ｂからの信号により、電池２２からの電力が供給され、これにより、発光部２５ｃが発光する。図３に示すように、発光した光は、導光板２５ｂの側面から導光板２５ｂに入射し、導光板２５ｂの内部で反射しながら、光の一部が導光板２５ｂの表面から液晶パネル２５ａ側に出る。これにより導光板２５ｂの全体から光が均一に発せられ、液晶パネル２５ａへ光が照射される。
【００５８】
図１２に示すように、第１入力部１４および第２入力部２４は、配線により基板２３に接続され、基板２３のＣＰＵ２３ｂとの間で信号を送受信する。各入力部１４，２４には、ＣＰＵ２３ｂからの信号により、電池２２からの電力が供給される。そして、第１入力部１４および第２入力部２４は、位置センサ１４ａ、２４ａにより、ユーザが触れた各表示面１３ｂ、２５ｄの指示位置を検出する。これにより、第１入力部１４は第１表示部１３への入力を検出し、第２入力部２４は第２表示部２５への入力を検出する。そして、各入力部１４、２４は位置信号をＣＰＵ２３ｂに出力する。
【００５９】
また、第１入力部１４は、イメージセンサ１４ｂにより、第１表示面１３ｂに映る被写体からの光を検出し、この光を光電変換で画像信号に変換し、画像信号を基板２３のＣＰＵ２３ｂに出力する。
【００６０】
ＣＰＵ２３ｂは、ユーザからの指示やソフトウェアの要求などに応じて、写真や絵、図などの画像データを取得する。画像データは、メモリ２３ｃからの読み出し、インターネットによる受信などにより取得される。ＣＰＵ２３ｂは、画像データを信号として第１表示部１３および第２表示部２５のそれぞれに出力し、各表示面部１３、２５に画像を表示させる。各表示部１３、２５に対して、ＣＰＵ２３ｂは、別々の画像を表示させることもできるし、１つの画像を分けて表示させることもできる。なお、画像が第２表示部２５に表示される際、ＣＰＵ２３ｂは、電池２２から発光部２５ｃに電力を供給させ、発光部２５ｃを発光させる。
【００６１】
また、ＣＰＵ２３ｂは、各入力部１４、２４の位置センサ１４ａ、２４ａから位置信号を受け、位置信号に応じた処理を実行する。たとえば、メモリ２３ｃ内には、位置テーブルが記憶されている。位置テーブルには、各表示部１３、２５におけるアイコンの位置と、アイコンが表わすファイルやプログラム（アプリケーション）などとが対応付けられている。ＣＰＵ２３ｂは、位置センサ１４ａ、２４ａから位置信号が入力されると、この位置テーブルを利用して、ユーザに操作されたアイコンを特定し、アイコンに対応するプログラムなどを実行する。
【００６２】
さらに、ＣＰＵ２３ｂは、第１入力部１４のイメージセンサ１４ｂから画像信号を受け、画像信号を処理する。たとえば、画像信号を受けると、ＣＰＵ２３ｂは、画像信号の画像に含まれる文字をＯＣＲ（Optical Character Recognition）などにより特定し、文字データを取得する。
【００６３】
＜携帯端末装置の動作＞
図１３（ａ）は、第１ユニット１０および第２ユニット２０が重ねられた状態を示す斜視図である。図１３（ｂ）は、第１ユニット１０および第２ユニット２０が並べられた状態を示す斜視図である。図１４（ａ）は、第１ユニット１０および第２ユニット２０が重ねられた時の配線１５を示す斜視図である。図１４（ｂ）は、第１ユニット１０および第２ユニット２０が並べられた時の配線１５を示す斜視図である。なお、図１４（ａ）および図１４（ｂ）において、配線１５の様子がわかりやすいように、第１蓋部１６などの一部の部品が破線で表わされている。
【００６４】
図２に示すように、携帯端末装置１００は、切替部によって、図２（ａ）に示す第１形態と図２（ｂ）に示す第２形態とに切り替えが可能である。
【００６５】
第１形態では、第１ユニット１０が第２ユニット２０の上に重なり、第１表示面１３ｂおよび第２表示面２５ｄが上側を向く。図１３（ａ）に示すように、第１表示面１３ｂのサイズは、第２表示面２５ｄのサイズとほぼ等しく、第１表示面１３ｂが外部に臨む。
【００６６】
また、第１形態では、図１４（ａ）に示すように、スライド部１２の係止部１２ｂが、ガイド孔２７ａの一方端で、受部２６の第１側面板２６ｂに接する位置にあり、スライド部１２がガイド孔２７ａを覆う。係止部１２ｂが基部のコネクタ２２ａの近傍に位置する。配線１５は、係止部１２ｂの貫通孔１２ｄから受部２６の底面に沿って延び、途中で曲がり、重なって受部２６の底面に沿いながら貫通孔１２ｄの方に戻り、コネクタ２２ａに接続される。
【００６７】
第２形態では、図２（ｂ）に示すように、第１ユニット１０が第２ユニット２０の側方に引き出され、第１表示面１３ｂおよび第２表示面２５ｄの両方が上側を向いて外部に臨む。図１３（ｂ）に示すように、第１ユニット１０の端部が第２表示面２５ｄの端部にわずかに重なり、第１表示面１３ｂと第２表示面２５ｄが隙間のない状態で横に並ぶ。なお、このとき、第１表示面１３ｂの端部が第２表示面２５ｄの端部にわずかに重なっても良い。
【００６８】
また、第２形態では、図１４（ｂ）に示すように、スライド部１２の係止部１２ｂがガイド孔２７ａの一方端から他方端へ移動し、ガイド孔２７ａが開口する。係止部１２ｂが基板２３のコネクタ２３ａの位置から遠ざかり、配線１５は、係止部１２ｂの貫通孔１２ｄから基板２３のコネクタ２３ａへ直線状に延びる。
【００６９】
切替部は、第１ユニット１０と第２ユニット２０を互いにスライドさせる機構部を含む。図３に示すように、スライドさせる機構部は、第１ユニット１０に設けられるスライド部１２と、第２ユニット２０に設けられるガイド孔２７ａとを含む。スライド部１２の係止部１２ｂが、第１ユニット１０から第２ユニット２０へ突出し、ガイド孔２７ａに嵌る。係止部１２ｂ以外の第１ユニット１０は第２ユニット２０の上に配置される。このため、係止部１２ｂがガイド孔２７ａに沿って移動することにより、第１ユニット１０が第２ユニット２０の上をスライドする。
【００７０】
＜携帯端末装置の機能＞
図１３（ｂ）に示すように、第２形態において、第１表示面１３ｂには、ＣＰＵ２３ｂからの画像信号に基づいてダイヤルキーの画像が表示される。透明な第１表示部１３に外部の自然光が入射され、ダイヤルキーの画像以外の背景部分に光が透過し、第１表示面１３ｂにおいて背景部分が透明になる。第２表示部２５では発光部２５ｃの光が導光板２５ｂを介して液晶パネル２５ａに照射され、ＣＰＵ２３ｂからの画像信号に基づいて、第２表示面２５ｄに写真の画像が表示される。この第２形態から第１形態へ切り替えられると、第１ユニット１０が第２ユニット２０の上に重ねられる。図１３（ａ）に示すように、第１表示面１３ｂにおいて透明な背景部分に第２表示部２５の写真画像が透過し、第２表示面２５ｄが第１表示面１３ｂの背景として利用される。また、第２表示部２５の発光部２５ｃからの光が、第１表示部１３にも照射され、第１表示部１３の照明としても利用される。
【００７１】
図１５は、２つの表示部１３、２５を用いて、一つの画像を表示する機能ついて説明するための図である。
【００７２】
図１５に示すように、ＣＰＵ２３ｂは、地図の画像データをメモリ２３ｃなどから取得し、画像が２つの領域に分かれるように画像データを二分割し、各画像データを信号として各表示部１３、２５に出力する。第１表示面１３ｂには画像の半分が表示され、第２表示面２５ｄには画像の別の半分が表示される。第２形態では、第１表示面１３ｂおよび第２表示面２５ｄが隙間なく横に並び、第１表示面１３ｂの画像と第２表示面２５ｄの画像とが連続する。また、第２表示面２５ｄが第１ユニット１０の透明な端部の下に配置され、透明な端部を第２表示面２５ｄの画像が透過するため、連続した画像が、途中で遮られることなく、２つの表示面１３ｂ、２５ｄによって拡大された表示面に表示される。
【００７３】
図１６は、第１ユニット１０の第１表示面１３ｂに映し出される文字等の情報から、ユーザが指定した情報を取り込む機能について説明するための図である。
【００７４】
図１６に示すように、第２形態の状態において、ユーザが、商品などの箱４０の表面に書かれた文字に第１ユニット１０をかざすと、透明な第１ユニット１０を通して第１表示面１３ｂに文字が映し出される。ユーザは、取得したい文字の範囲を、指でなぞる等の操作により指定する。第１入力部１４の位置センサ１４ａが、操作された位置を検出し、位置信号をＣＰＵ２３ｂに送信する。また、第１表示面１３ｂに映し出された画像が第１入力部１４のイメージセンサ１４ｂにより取得され、画像信号がＣＰＵ２３ｂに送信される。ＣＰＵ２３ｂは、位置信号および画像信号を受信し、位置信号から、ユーザに操作された範囲を判定する。ＣＰＵ２３ｂは、画像信号から操作された範囲の画像を抽出し、画像に含まれる文字をＯＣＲなどにより特定する。
【００７５】
次に、第２表示面２５ｄの辞書アイコンをユーザがクリックすると、第２入力部２５の位置センサ２５ａが、指示位置を検出し、位置信号をＣＰＵ２３ｂに出力する。ＣＰＵ２３ｂは、位置信号を受け、位置信号に対応する辞書プログラムを位置テーブルから特定し、辞書プログラムを実行する。そして、ＣＰＵ２３ｂは、先に特定した文字を辞書プログラムに入力し、辞書プログラムからの出力結果を得る。ＣＰＵ２３ｂは、出力結果を画像信号として第２表示部２５へ出力し、第２表示面２５ｄに出力結果を表示させる。
【００７６】
＜携帯端末装置の効果＞
以上、本実施の形態によれば、第１表示部１３および第１入力部１４の配線１５が係止部１２ｂの貫通孔１２ｄおよびガイド孔２７ａを通り、配線１５が被覆部１７に隠れる。また、第１表示部１３が透明な液晶表示器で構成されている。さらに、第１底部１１および第１蓋部１６が透明樹脂により形成されている。これにより、第１ユニット１０において、被覆部１７以外の部分が透明になり、第１表示面１３ｂおよびこれを囲む枠を通して向こう側が視認可能になる。よって、向こう側に見えた風景を利用した種々の機能を携帯端末装置に付与できる。
【００７７】
たとえば、ユーザが、第１ユニット１０の透明な部分を透過して第１表示面１３ｂに向こう側の風景を見ながら、第１表示面１３ｂを対象（画像や文字などの情報）に対して容易に合わせられる。これにより、ユーザが、第１表示面１３ｂに触れて、第１表示部１３を通じて見える対象の取り込みを指示し、第１表示面１３ｂに対象を直接取り込むことができる。
【００７８】
また、本実施の形態によれば、第１形態において、第１表示面１３ｂの透明な部分を通して、第２表示面２５ｄが透過することで、第１表示面１３ｂの画像と第２表示面２５ｄの画像を組み合わせた画面表示（図１３参照）が可能となる。よって、画面表示のバリエーションが豊富になる。
【００７９】
さらに、本実施の形態によれば、切替部１２、２７ａにより携帯端末装置１００が第１形態から第２形態に切り替えられることにより、第１表示面１３ｂおよび第２表示面２５ｄが平行に並び、第１表示面１３ｂを囲む透明な枠（第１ユニット１０の端部）を通して第２表示面２５ｄを見ることができる。よって、第１表示面１３ｂの画像と第２表示面２５ｄの画像が枠によって途切れることなく連続し、１つの画像が第１表示面１３ｂおよび第２表示面２５ｄに亘って表示される。このため、第１表示面１３ｂおよび第２表示面２５ｄが一体的に利用され、表示面が拡張された際に、拡張された表示面に、良好に画像を表示できる。
【００８０】
さらに、本実施の形態によれば、第１形態では、発光部２５ｃからの光が、透明な第１ユニット１０を透過し、第１表示部１３を照明する。このため、十分な光を得られない状況でも、第２表示部２５の光を利用して、第１表示面１３ｂに表示した画像が視認可能になる。
【００８１】
＜変更例の構成＞
図１７（ａ）は、変更例に係る第１形態の携帯端末装置１００の正面側を示す平面図である。図１７（ｂ）は、第１形態の携帯端末装置１００の側面側を示す平面図である。図１８（ａ）は、第２形態の携帯端末装置１００の正面側を示す平面図である。図１８（ｂ）は、第２形態の携帯端末装置１００の側面側を示す平面図である。図１９（ａ）は、図１７（ａ）のＣ−Ｃ’線における断面図である。図１９（ｂ）は、図１８（ａ）のＤ−Ｄ’線における断面図である。
【００８２】
変更例に係る携帯端末装置１００の構成は、上記実施の形態に係る携帯端末装置１００の構成とほぼ同じである。ただし、変更例に係る携帯端末装置１００は、第１形態において第１ユニット１０を覆う透明なカバー３０をさらに備える点、および、第２入力部２５に代えて第３入力部３１を有する点が、上記実施の形態に係る携帯端末装置１００とは異なる。また、変更例に係る携帯端末装置１００は、第２ユニット２０のサイズおよび入力部の位置が上記実施の形態に係る携帯端末装置１００とは異なる。なお、上記実施の形態に係る携帯端末装置１００と同様な構成については同じ番号が付され、その説明が省略される。
【００８３】
第２ユニット２０の第２蓋部２７および第２底部２１は、横方向（前後左右）に拡張され、それぞれのサイズが、第１ユニット１０の第１蓋部１６および第１底部１１のそれぞれのサイズより大きくなる。
【００８４】
カバー３０は、透明な樹脂により射出成型で形成される。カバー３０は、正面、底面および２つの側面を有し、各面は長方形状である。側面には、スリット３０ａが形成される。
【００８５】
カバー３０の側面は、ガイド孔２７ａの外側でガイド孔２７ａに平行に配置される。カバー３０の底面は、第１ユニット１０が引き出される側と反対側に配置される。カバー３０の両側面および底面は、第２蓋部２７の外周部分に接着などにより接続される。
【００８６】
図１９に示すように、第３入力部３１には、タッチパネルが用いられる。タッチパネルは、透明な長方形状のシートである。タッチパネルには、マトリクス状に２つの透明電極（図示せず）が組み込まれ、透明電極に配線（図示せず）が接続される。第１形態では、第３入力部３１が、カバー３０の正面の第１表示面１３ｂに対向し、第２形態では、第３入力部３１が、カバー３０の正面の第２表示面２５ｄに対向する。第３入力部３１は、配線（図示せず）により基板２３および電池２２に接続される。第３入力部３１のサイズは第１入力部１４のサイズとほぼ等しく設定される。
【００８７】
第１ユニット１０には磁石（図示せず）が配置され、第２ユニット２０には開閉センサ（図示せず）が配置される。開閉センサは受部２６の第１側面板２６ｂの近傍に配置され、磁石は第１形態において開閉センサに近接する位置に配置される。開閉センサは配線（図示せず）により基板２３のＣＰＵ２３ｂに接続される。
【００８８】
＜変更例の動作＞
図１７に示すように、第１形態では、カバー３０の正面が、第１表示面１３ｂに対向しつつ、第１表示面１３ｂとわずかに間隔を隔てて配置される。正面と第２蓋部２７との間隔は、第１ユニット１０の厚みより少し大きく設定される。また、正面のサイズは、第１ユニット１０のサイズより大きく、第２ユニット２０のサイズと等しく設定される。このため、第１形態では、第１ユニット１０が、第２ユニット２０およびカバー３０に囲まれた空間に納まる。
【００８９】
カバー３０の両側面にある各スリット３０ａから指が差し入れられ、第１ユニット１０が指で挟まれてカバー３０の開口側へスライドされると、携帯端末装置１００が、第１形態から第２形態へ切り替えられる。
【００９０】
図１８に示すように、第２形態では、第１ユニット１０が、第２ユニット２０の側方へ引き出され、第１表示面１３ｂおよび第２表示面２５ｄが露出する。このとき、第２表示面２５ｄがカバー３０の正面に対向する。
【００９１】
開閉センサは、配線１５により基板２３に接続され、基板２３のＣＰＵ２３ｂとの間で信号を送受信する。第１形態において磁石が開閉センサの近傍に存在する場合、開閉センサは、磁石の磁界を検出し、検出信号をＣＰＵ２３ｂに出力する。反対に、第２形態において磁石が開閉センサから離れている場合、開閉センサは、磁石の磁界を検出せず、検出信号をＣＰＵ２３ｂに出力しない。
【００９２】
ＣＰＵ２３ｂは、開閉センサから検出信号が入力されると、携帯端末装置１００が第１形態であると判定する。第１形態では、図１９（ａ）に示すように、第３入力部３１が第１表示面１３ｂに対向するため、ＣＰＵ２３ｂは、第３入力部３１を第１表示面１３ｂに対する入力部として切り替える。これにより、第１入力部１４に代わって、第３入力部３１が第１表示部１３に対する入力を検出する。そして、ＣＰＵ２３ｂは、第３入力部３１から位置信号を受け、位置信号に応じた処理を実行する。処理の実行により画像信号が生成されると、ＣＰＵ２３ｂは、画像信号を第１表示部１３へ出力し、第１表示面１３ｂに画像を表示させる。
【００９３】
一方、ＣＰＵ２３ｂは、開閉センサから検出信号が入力されなければ、携帯端末装置１００が第２形態であると判定する。第２形態では、図１９（ｂ）に示すように、第３入力部３１が第２表示面２５ｄに対向するため、ＣＰＵ２３ｂは、第３入力部３１を第２表示部２５に対する入力部として切り替え、第１入力部１４を第１表示部１３の入力部として利用する。これにより、第３入力部３１が、第２表示部２５に対する入力を検出する。そして、ＣＰＵ２３ｂは、第３入力部３１から位置信号を受信すると、位置信号の指示位置と第２表示面２５ｄの画像とを関連付けて、所定の処理を実行する。また、ＣＰＵ２３ｂは、第１入力部１４の位置センサ１４ａから位置信号を受けるとともに、第１入力部１４のイメージセンサ１４ｂから画像信号を受信する。そして、ＣＰＵ２３ｂは、位置信号および画像信号と第１表示面１３ｂに表示される画像信号とを関連付けて、所定の処理を実行する。
【００９４】
＜変更例の効果＞
本実施の形態によれば、第１形態において、第１ユニット１０が、カバー３０の中に収納され、カバー３０により保護される。たとえば、カバー３０がない状況では、第１ユニット１０に横方向から外力が加わると、第１ユニット１０と第２ユニット２０の接合部分に力が作用し、接合部分である細い係止部１２ｂが破損する惧れがある。これに対して、カバー３０の中に第１ユニット１０が収容されると、カバー３０が外力を受け、外力が第１ユニット１０に直接加わらないため、携帯端末装置１００が破損し難くなる。これにより、第１形態とした携帯端末装置１００を携帯し易くなる。
【００９５】
また、本実施の形態によれば、第１形態および第２形態に応じて、第３入力部３１の入力対象が、第１表示部１３または第２表示部２５に切り替えられる。携帯端末装置１００の形態が変わっても、透明なカバー３０を通して第１表示面１３ｂあるいは第２表示面２５ｄを見ながら、カバー３０に装着した第３入力部３１により各表示部１３、２５に対して入力が可能となる。
【００９６】
＜他の変更例＞
以上、本発明の実施の形態について説明したが、本発明は、上記実施の形態によって何ら制限されるものではなく、また、本発明の実施の形態も、上記以外に種々の変更が可能である。
【００９７】
たとえば、上記実施の形態では、配線１５にフレキシブル配線１５が用いられたが、配線１５に同軸ケーブルなどが用いられてもよい。
【００９８】
また、上記実施の形態では、第１形態において第２表示部２５が第１表示部１３の下に配置され、第１表示部１３が外部を臨む構成であった。反対に、第１形態で第１表示部１３が第２表示部２５の下に配置され、第２表示部２５が外部を臨む構成とすることも可能である。ただし、この場合、第１形態において、第１表示部１３と第２表示部２５の双方を用いた画面表示が行えない。よって、上記実施の形態のように、透明な液晶表示器で構成された第１表示部１３の下に第２表示部２５は配置されることが望ましい。
【００９９】
さらに、上記実施の形態では、各入力部１４、２４、３１の位置センサに静電式のタッチパネルが用いられ、位置センサが各蓋部１６、２７やカバー３０の内面に装着された。これに対し、位置センサに感圧式タッチパネルなどが使用され、位置センサが各蓋部１６、２７やカバー３０の外面に装着されても良い。
【０１００】
さらに、上記実施の形態では、第２ユニット２０に対して第１ユニット１０が横方向にスライドすることにより第１形態と第２形態との切替えが行われる構成とされている。しかしながら、図２０（ａ）、（ｂ）に示すように、第１ユニット１０と第２ユニットとが回転軸４０により連結され、第２ユニット２０に対して第１ユニット１０が横方向に回転する構成とされても良い。この場合、図２０（ａ）に示すように、第１形態では、第２ユニット２０（第２表示部２５）の上に第１ユニット１０（第１表示部１３）が重なった状態となり、第１表示面１３ａが外部に露出する。一方、図２０（ｂ）に示すように、第２形態では、第１ユニット１０と第２ユニット２０とが一直線に並び、第１表示面１３ｂと第２表示面２５ｄとが外部に露出する。なお、回転軸４０は、第１ユニット１０の第１表示部１３に覆われている。第１ユニット１０は透明であるが、回転軸４０は、第１表示部１３に画像が表示されているときには、その画像により隠される。常に回転軸４０を隠して見栄えを良くするため、携帯端末装置１００の電源がオフされた場合でも、第１表示部１３の回転軸４０に対応する部分に所定の画像を表示しておくようにしても良い。
【０１０１】
この他、本発明の実施の形態は、特許請求の範囲に示された技術的思想の範囲内において、適宜、種々の変更が可能である。
【符号の説明】
【０１０２】
1００  …  携帯端末装置
１０  …  第１ユニット
１２  …  スライド部（切替部、機構部）
１２ｄ  …  貫通孔（孔部）
１３  …  第１表示部
１３ｂ  …  第１表示面
１４  …  第１入力部
１５  …  配線
２０  …  第２ユニット
２２  …  電池
２４  …  第２入力部
２５  …  第２表示部
２５ｄ  …  第２表示面
２７ａ  …  ガイド孔（切替部、機構部）
３０  …  カバー
３１  …  第３入力部
【図１】
0005551970.tif 000002
【図２】
0005551970.tif 000003
【図３】
0005551970.tif 000004
【図４】
0005551970.tif 000005
【図５】
0005551970.tif 000006
【図６】
0005551970.tif 000007
【図７】
0005551970.tif 000008
【図８】
0005551970.tif 000009
【図９】
0005551970.tif 000010
【図１０】
0005551970.tif 000011
【図１１】
0005551970.tif 000012
【図１２】
0005551970.tif 000013
【図１３】
0005551970.tif 000014
【図１４】
0005551970.tif 000015
【図１５】
0005551970.tif 000016
【図１６】
0005551970.tif 000017
【図１７】
0005551970.tif 000018
【図１８】
0005551970.tif 000019
【図１９】
0005551970.tif 000020
【図２０】
0005551970.tif 000021